(57)【要約】      （修正有）【課題】牽引・搬送時の振動・衝撃、風圧により破損しにくい木製トレーラーハウスおよびその製造方法を提供する。【解決手段】木製トレーラーハウス１の木製の居住部が、少なくとも、ａ）複数本の、木製支柱を湾曲させて形成した環状木製支柱を、前後方向に配し、シャーシ２に直接的または間接的に固定して形成された中央骨格部４、ｂ）中央骨格部の左右方向の両側に配された環状木製支柱を上下方向に連結する、複数本の木製支柱から形成された側方骨格部５−１、ｃ）中央骨格部に略直行する方向に、複数枚の木板を、弾性接着剤によって固定して形成された前方壁部６、天井部７および後方壁部８、ならびにｄ）側方骨格部に略直行する方向に、複数枚の木板を、弾性接着剤によって固定して形成された側方壁部９を備える。【選択図】図１
2020050173.tif 000002
【特許請求の範囲】
【請求項１】
車輪、牽引部材等の牽引・搬送に必要な部材を設けたシャーシの上に、木製の居住部を設けた木製トレーラーハウスであって、
前記木製の居住部が、少なくとも、
複数本の、木製支柱を湾曲させて形成した環状木製支柱を、前後方向に配し、シャーシに直接的または間接的に固定して形成された中央骨格部、
前記中央骨格部の左右方向の両側に配された前記環状木製支柱を上下方向に連結する、複数本の木製支柱から形成された側方骨格部、
前記中央骨格部に略直行する方向に、複数枚の木板を、弾性接着剤によって固定して形成された前方壁部、天井部および後方壁部、ならびに
前記側方骨格部に略直行する方向に、複数枚の木板を、弾性接着剤によって固定して形成された側方壁部
を備えることを特徴とする、木製トレーラーハウス。
【請求項２】
前記環状木製支柱が、複数枚の木板を積層して形成されることを特徴とする、請求項１に記載の木製トレーラーハウス。
【請求項３】
前記中央骨格部が、複数本の前記環状木製支柱を、平行に配置して形成されることを特徴とする、請求項１または２に記載の木製トレーラーハウス。
【請求項４】
前記中央骨格部および前記側方骨格部に対する前記複数枚の木板の固定が、弾性接着剤およびボルト／ナット等の固定手段を用いて行われることを特徴とする、請求項１〜３のいずれかに記載の木製トレーラーハウス。
【請求項５】
請求項１〜４のいずれかに記載の木製トレーラーハウスの製造方法であって、少なくとも、
１）車輪、牽引部材等の牽引・搬送に必要な部材を設けたシャーシの上に、複数本の、木製支柱を湾曲させて形成した環状木製支柱を前後方向に配し、前記シャーシに直接的または間接的に固定して、中央骨格部を形成する工程、
２）複数本の木製支柱により、前記中央骨格部の左右方向の両側に配された前記環状木製支柱を上下方向に連結して、側方骨格部を形成する工程、
３）前記中央骨格部に略直行する方向に、複数枚の木板を、弾性接着剤によって固定して前方壁部、天井部および後方壁部を形成する工程、ならびに
４）前記側方骨格部に略直行する方向に、複数枚の木板を、弾性接着剤によって固定して側方壁部を形成する工程
を含むことを特徴とする、木製トレーラーハウスの製造方法。
【請求項６】
前記環状木製支柱を、複数枚の木板を積層して形成することを特徴とする、請求項５に記載の木製トレーラーハウスの製造方法。
【請求項７】
前記中央骨格部を、前記複数本の環状木製支柱を、平行に配置して形成することを特徴とする、請求項５または６に記載の木製トレーラーハウスの製造方法。
【請求項８】
前記中央骨格部および前記側方骨格部に対する前記複数枚の木板の固定を、弾性接着剤およびボルト／ナット等の固定手段を用いて行うことを特徴とする、請求項５〜７のいずれかに記載の木製トレーラーハウスの製造方法。
【発明の詳細な説明】
【技術分野】
【０００１】
本件発明は、自動車により目的地へ牽引・搬送され、目的地において定置されて使用される木製トレーラーハウスおよびその製造方法に関し、さらに詳しくは、従来のトレーラーハウスに比べて柔軟性が付与され、丸みを帯びた形状を有する木製トレーラーハウスおよびその製造方法に関するものである。
【背景技術】
【０００２】
トレーラーハウスは、自動車により目的地へ牽引・搬送され、目的地において定置されて使用されるものであり、キャンプ場のキャンピングカー等のレジャー用としての利用、ファーストフードの店舗等の営業店舗用としての利用のほか、近年では、災害用の仮設住宅、簡易宿泊設備等の緊急時の設備として、現地へ移動させて利用されるようになってきている。
【０００３】
米国や欧州では、２００年くらい前から、移動式のトレーラーハウスを利用して、週末や長期休暇をリゾート地で過ごす習慣がある。この際に使われるトレーラーハウスは、牽引車により移動可能なトレーラーの荷台を改造したもので、ボックスタイプのトラック積載用ルームの中に、ベッド、トイレ、テーブル、流し台等の住宅設備を搭載して、居住空間とした移動型住宅である。
【０００４】
このようなタイプのトレーラーハウスは、一般的に、角張った形状であり、塗装を施した硬質アルミニウム合金のパネルを組立てて製造されるが、１）外装面が汚れやすい、２）保温性・遮音性が悪い、３）日本人にとって馴染みにくい等の欠点があることから、特許文献１〜３に開示されているような木製トレーラーハウスが提供されている。
【０００５】
図６〜８に示すように、特許文献１〜３に開示されているような木製トレーラーハウスは、車輪、牽引部材等の牽引・搬送に必要な部材を設けたシャーシの上に、木材を主に構成された木製の居住部を設けた木製トレーラーハウス３０であって、居住性は改善されているものの、ボックスタイプのトラック積載用ルームに比べ、自動車で目的地に牽引・搬送する際の振動・衝撃、風圧により破損しやすいという欠点を有している。特に、災害用の仮設住宅、簡易宿泊設備等の緊急時の設備として、木製トレーラーハウスを、高速道路を使って現地へ迅速に移動する必要がある場合、高速で走行することに伴う大きな振動・衝撃、風圧により、破損する可能性が増大する。
【０００６】
本件発明者等は、このような問題の解決について鋭意検討し、本件発明を成したものである。
【先行技術文献】
【特許文献】
【０００７】
【特許文献１】特開２００４−１３６７６４号公報
【特許文献２】特開２００８−２７９９０８号公報
【特許文献３】特開２０１１−０９３４８４号公報
【発明の概要】
【発明が解決しようとする課題】
【０００８】
上記のように、木製トレーラーハウスは、自動車で目的地に牽引・搬送する際の振動・衝撃、風圧により破損しやすいという欠点を有している。この欠点は、木製トレーラーハウスをレジャー用、営業店舗用等に利用する場合にはさほど大きな問題にはならないが、災害用の仮設住宅、簡易宿泊設備等の緊急時の設備として、高速道路を使って現地へ迅速に移動させる必要がある場合には、高速での走行に伴う大きな振動・衝撃、風圧により、破損する可能性が増大する。
【０００９】
本件発明は上記のような木製トレーラーハウスの欠点を改善することを目的とするものであって、本件発明の解決しようとする課題は、牽引・搬送時の振動・衝撃、風圧により破損しにくい木製トレーラーハウスおよびその製造方法を提供することにある。
【課題を解決するための手段】
【００１０】
前記課題を解決するため、発明者らは鋭意検討の結果、本件発明を成したものである。本件発明の要旨を以下に示す。
（１）車輪、牽引部材等の牽引・搬送に必要な部材を設けたシャーシの上に、木製の居住部を設けた木製トレーラーハウスであって、
前記木製の居住部が、少なくとも、
複数本の、木製支柱を湾曲させて形成した環状木製支柱を、前後方向に配し、シャーシに直接的または間接的に固定して形成された中央骨格部、
前記中央骨格部の左右方向の両側に配された前記環状木製支柱を上下方向に連結する、複数本の木製支柱から形成された側方骨格部、
前記中央骨格部に略直行する方向に、複数枚の木板を、弾性接着剤によって固定して形成された前方壁部、天井部および後方壁部、ならびに
前記側方骨格部に略直行する方向に、複数枚の木板を、弾性接着剤によって固定して形成された側方壁部
を備えることを特徴とする、木製トレーラーハウス。
（２）前記環状木製支柱が、複数枚の木板を積層して形成されることを特徴とする、（１）に記載の木製トレーラーハウス。
（３）前記中央骨格部が、複数本の前記環状木製支柱を、平行に配置して形成されることを特徴とする、（１）または（２）に記載の木製トレーラーハウス。
（４）前記中央骨格部および前記側方骨格部に対する前記複数枚の木板の固定が、弾性接着剤およびボルト／ナット等の固定手段を用いて行われることを特徴とする、（１）〜（３）のいずれかに記載の木製トレーラーハウス。
（５）（１）〜（４）のいずれかに記載の木製トレーラーハウスの製造方法であって、少なくとも、
１）車輪、牽引部材等の牽引・搬送に必要な部材を設けたシャーシの上に、複数本の、木製支柱を湾曲させて形成した環状木製支柱を前後方向に配し、前記シャーシに直接的または間接的に固定して、中央骨格部を形成する工程、
２）複数本の木製支柱により、前記中央骨格部の左右方向の両側に配された前記環状木製支柱を上下方向に連結して、側方骨格部を形成する工程、
３）前記中央骨格部に略直行する方向に、複数枚の木板を、弾性接着剤によって固定して前方壁部、天井部および後方壁部を形成する工程、ならびに
４）前記側方骨格部に略直行する方向に、複数枚の木板を、弾性接着剤によって固定して側方壁部を形成する工程
を含むことを特徴とする、木製トレーラーハウスの製造方法。
（６）前記環状木製支柱を、複数枚の木板を積層して形成することを特徴とする、（５）に記載の木製トレーラーハウスの製造方法。
（７）前記中央骨格部を、前記複数本の環状木製支柱を、平行に配置して形成することを特徴とする、（５）または（６）に記載の木製トレーラーハウスの製造方法。
（８）前記中央骨格部および前記側方骨格部に対する前記複数枚の木板の固定を、弾性接着剤およびボルト／ナット等の固定手段を用いて行うことを特徴とする、（５）〜（７）のいずれかに記載の木製トレーラーハウスの製造方法。
【発明の効果】
【００１１】
本件発明の木製トレーラーハウスの木製の居住部は、中央骨格部、側方骨格部が前後左右に撓むことができ、また、これらの骨格部に弾性接着剤を用いて接着された壁部の各木板もこれに追従できるので、木製の居住部全体に柔軟性を付与することができる。したがって、牽引・搬送して移動する際の振動・衝撃により木製の居住部が破損することを防止できる。さらに、木製の居住部の形状を、従来の角張ったものから、丸みを帯びたものとすることにより、風圧により木製の居住部が破損することも防止できる。
【００１２】
また、本件発明の木製トレーラーハウスの製造方法は、上記のような優れた効果を奏する木製トレーラーハウスを製造することができる。
【図面の簡単な説明】
【００１３】
【図１】図１は、本件発明の木製トレーラーハウスの一つの実施形態を示すものであって、木製トレーラーハウスを側方から見た外観模式図である。
【図２】図２は、図１の木製トレーラーハウスを後方から見た外観模式図である。
【図３】図３は、図１の木製トレーラーハウスを前方から見た外観模式図である。
【図４】図４は、図１の木製トレーラーハウスの中央骨格部を形成する、複数本の環状木製支柱を示す外観模式図である。
【図５】図５は、中央骨格部または側方骨格部の木製支柱に、複数枚の木板を、弾性接着剤によって固定した状況を示す模式図であり、図５（ａ）は応力がかかっていない状況を示し、図５（ｂ）は応力がかかった状況を示すものである。
【図６】図６は、従来の木製トレーラーハウスを示す、特許文献１（特開２００４−１３６７６４号公報）の図４である。
【図７】図７は、従来の木製トレーラーハウスを示す、特許文献２（特開２００８−２７９９０８号公報）の図１である。
【図８】図８は、従来の木製トレーラーハウスを示す、特許文献３（特開２０１１−０９３４８４号）の図３である。
【発明を実施するための形態】
【００１４】
以下、本件発明の実施形態を、添付の図面も参照しながら詳細に説明するが、本件発明はこれらに限定されるものではない。
【００１５】
なお、本件の特許請求の範囲および明細書においては、木製トレーラーハウスが牽引・搬送により運ばれる方向を「前方」、その反対方向を「後方」といい、この前後方向に対して水平面内で直交する方向を「左右方向」または「側方」といい、鉛直方向を「上下方向」という。
【００１６】
＜本件発明の木製トレーラーハウスおよびその製造方法の主要な特徴＞
まず、本件発明の木製トレーラーハウスおよびその製造方法（以下、「本件発明」ともいう。）の主要な特徴について説明する。
【００１７】
本件発明の木製トレーラーハウスは、シャーシの上に設ける木製の居住部の構造に特徴を有するものであって、具体的には、
ａ）複数本の、木製支柱を湾曲させて形成した環状木製支柱を、前後方向に配し、シャーシに直接的または間接的に固定して形成された中央骨格部、
ｂ）前記中央骨格部の左右方向の両側に配された前記環状木製支柱を上下方向に連結する、複数本の木製支柱から形成された側方骨格部、
ｃ）前記中央骨格部に略直行する方向に、複数枚の木板を、弾性接着剤によって固定して形成された前方壁部、天井部および後方壁部、ならびに
ｄ）前記側方骨格部に略直行する方向に、複数枚の木板を、弾性接着剤によって固定して形成された側方壁部
を少なくとも備えることを主要な特徴とするものであり、
木製トレーラーハウスの木製の居住部全体に柔軟性を付与することにより、牽引・搬送して移動する際の振動・衝撃により木製の居住部が破損することを防止でき、さらに、木製の居住部の形状を丸みを帯びたものとすることにより、風圧により木製の居住部が破損することも防止できるという優れた作用効果を奏するものであって、災害発生時等の緊急時に、仮設住宅、簡易宿泊設備等の設備として、木製トレーラーハウスを高速道路を使って現地へ迅速に移動することができる。
【００１８】
図１〜５を用いて、本件発明の主要な特徴について説明する。
図１〜３は、本件発明の木製トレーラーハウス１の一つの実施形態を示す外観模式図であって、木製トレーラーハウス１を、図１は側方、図２は後方、図３は前方から見た外観模式図である。また、図４は、木製トレーラーハウス１の中央骨格部４を形成する、複数本の環状木製支柱４−１ａ〜４−１ｈを示す外観模式図である。また、図５は、中央骨格部４の環状木製支柱４−１または側方骨格部５の木製支柱５−１に、複数枚の木板１０を、弾性接着剤１１によって固定した状況を示す模式図である。
【００１９】
木製トレーラーハウス１には、車輪２−１、牽引部材２−２等の牽引・搬送に必要な部材を設けたシャーシ２の上に、木製の居住部３が設けられており、木製の居住部３は、
ａ）複数本の、木製支柱を湾曲させて形成した環状木製支柱４−１（４−１ａ〜４−１ｈ）を、前後方向に配し、シャーシ２に直接的または間接的に固定して形成された中央骨格部４、
ｂ）中央骨格部４の左右方向の両側に配された環状木製支柱４−１ａおよび４−１ｈを上下方向に連結する、複数本の木製支柱５−１から形成された側方骨格部５、
ｃ）中央骨格部４に略直行する方向に、複数枚の木板１０を、弾性接着剤１１によって固定して形成された前方壁部６、天井部７および後方壁部８、ならびに
ｄ）側方骨格部５に略直行する方向に、複数枚の木板１０を、弾性接着剤１１によって固定して形成された側方壁部９
を備えている。
【００２０】
図１〜３に示す木製トレーラーハウス１においては、中央骨格部４を形成する環状木製支柱４−１（４−１ａ〜４−１ｈ）として、図４に示すような４種類の形状・構造を有するものが、図２、図３に示すように前後方向に配置されている。
【００２１】
中央骨格部４の左右方向の両側に配される環状木製支柱４−１ａおよび４−１ｈは、木製の居住部３を構造上強固に支持するために、他の環状木製支柱（４−１ｂ〜４−１ｇ）よりも幅および厚みを大きく設定することが好ましい。環状木製支柱４−１ａおよび４−１ｈに隣接して設けられる環状木製支柱４−１ｂおよび４−１ｇは、木製の居住部３を構造上強固に支持するために、それぞれ、環状木製支柱４−１ａおよび４−１ｈと近接して、好ましくは接して配置されるのが好ましい。
【００２２】
木製の居住部３に、図２に示すような後方窓２２のような窓を設ける場合には、左右方向中央部に配置される環状木製支柱４−１ｄおよび４−１ｅに、図４に示すような後方窓設置用の切り欠き部２４を設け、この切り欠き部２４の両端部を、それぞれ、後方窓２２の上下窓枠２３により支持するようにする。また、この上下窓枠２３の両端は、それぞれ、環状木製支柱４−１ｃおよび４−１ｆに固定される。
【００２３】
環状木製支柱４−１（４−１ａ〜４−１ｈ）は、シャーシ２にボルト／ナット等の固定手段により直接的に固定されてもよいし、シャーシ２に固定された底板および／または床板等にボルト／ナット等の固定手段により固定されてもよい。
【００２４】
このように、シャーシ２の上に、中央骨格部４および側方骨格部５からなる骨格を形成することにより、中央骨格部４、側方骨格部５は前後左右に撓むことが可能となる。
【００２５】
弾性接着剤１１としては、ポリオロール主剤とポリイソジンアネート硬化剤で構成されるウレタン系接着剤、ポリプロピレンオキシドに反応性シリル官能基を導入した変成シリコーン系接着剤等の市販されている弾性接着剤（接着強度と柔軟性を併せ持つ優れた接着剤）を用いることができる。中央骨格部４の環状木製支柱４−１または側方骨格部５の木製支柱５−１に、複数枚の木板１０を、弾性接着剤１１によって固定することにより、図５に示すように、中央骨格部４、側方骨格部５が前後左右に撓んでも、これらの骨格部４、５に弾性接着剤１１を用いて接着された壁部の各木板１０もこれに追従できる。
【００２６】
本件発明の木製トレーラーハウス１の木製の居住部３は、中央骨格部４、側方骨格部５が前後左右に撓むことができ、また、これらの骨格部４、５に弾性接着剤１１を用いて接着された壁部の各木板１０もこれに追従できるので、木製の居住部３全体に柔軟性を付与することができる。したがって、牽引・搬送して移動する際の振動・衝撃により木製の居住部３が破損することを防止できる。また、木製の居住部３の形状を、従来の角張ったものから、丸みを帯びたものとすることにより、風圧により木製トレーラーハウス１が破損することも防止できる。
【００２７】
本件発明の木製トレーラーハウス１の中央骨格部４において用いられる、木製支柱を湾曲させて形成した環状木製支柱４−１は、複数枚の木板１０を積層して形成されることが好ましい。
【００２８】
この環状木製支柱４−１としては、通常、厚さ４０ｍｍ〜８０ｍｍ、幅４５ｍｍ〜８０ｍｍ、長さ７,０００ｍｍ〜９,０００ｍｍ程度のものが用いられるが、加熱して容易に湾曲できること、強度を確保しながら柔軟性が付与できることから、厚さ６ｍｍ、幅８０ｍｍ、長さ２,０００ｍｍ程度の木材を加熱して湾曲させた後、継ぎ目を適度にずらして積層して形成することが好ましい。
【００２９】
中央骨格部４は、木製トレーラーハウス１に必要とされる強度、柔軟性等を考慮して、適当な厚さおよび幅の環状木製支柱４−１（４−１ａ〜４−１ｈ）を、適当な本数、適当な配置で形成することができるが、木製トレーラーハウス１の強度、柔軟性等の観点から、環状木製支柱４−１（４−１ａ〜４−１ｈ）は平行に配置されるのが好ましい。
【００３０】
側方骨格部５の木製支柱５−１の間には、例えば図１に示すようなドア２０、側方窓２１等の構成部材を設置することができ、また、上記のように、例えば、左右方向中央部に配置される環状木製支柱４−１ｄおよび４−１ｅに切り欠き部２４を設けることにより、図２に示すような後方窓２２等の構成部材を設置することができる。これらドア２０、側方窓２１、後方窓２２等の構成部材は、上下左右に設けた枠により、中央骨格部４または側方骨格部５に固定される。
【００３１】
中央骨格部４の環状木製支柱４−１または側方骨格部５の木製支柱５−１に、複数枚の木板１０を固定するために、弾性接着剤１１を用いるが、強度が必要とされる場合には、ボルト／ナット等の固定手段を併用することができる。
【００３２】
上で説明した本件発明の木製トレーラーハウス１の木製の居住部３は、次のような工程により製造することができる。
ａ）車輪２−１、牽引部材２−２等の牽引・搬送に必要な部材を設けたシャーシ２の上に、複数本の、木製支柱を湾曲させて形成した環状木製支柱４−１（４−１ａ〜４−１ｈ）を前後方向に配し、シャーシ２に直接的または間接的に固定して、中央骨格部４を形成する工程、
ｂ）複数本の木製支柱５−１により、中央骨格部４の左右方向の両側に配された環状木製支柱４−１ａおよび４−１ｈを上下方向に連結して、側方骨格部５を形成する工程、
ｃ）中央骨格部４に略直行する方向に、複数枚の木板１０を、弾性接着剤１１によって固定して前方壁部６、天井部７および後方壁部８を形成する工程、ならびに
ｄ）側方骨格部５に略直行する方向に、複数枚の木板１０を、弾性接着剤１１によって固定して側方壁部９を形成する工程
このような木製トレーラーハウス１の製造方法により、柔軟性を有し、丸みを帯びた形状を有しており、牽引・搬送時の破損を低減した木製トレーラーハウス１を製造することができる。
【００３３】
また、上で説明したように、
１）木製支柱を湾曲させて形成した環状木製支柱４−１を、複数枚の木板１０を積層して形成すること、
２）中央骨格部４を、木製支柱を湾曲させて形成した環状木製支柱４−１を、平行に配置して形成すること
３）中央骨格部４および側方骨格部５に対する複数枚の木板１０の固定を、弾性接着剤１１およびボルト／ナット等の固定手段を用いて行うこと
により、より優れた効果を発揮する木製トレーラーハウス１を製造することができる。
【００３４】
＜その他の構造および構成部材＞
上の説明では、本件発明の主要な特徴について説明したが、木製トレーラーハウス１の木製の居住部３は、さらに次のような構造および構成部材を備えることができる。
【００３５】
前方壁部６、天井部７および後方壁部８は、中央骨格部４の内側および外側の両面に設けられることが好ましく、また、側方壁部９は、側方骨格部５の内側および外側の両面に設けられることが好ましい。また、これらの部材の隙間は、防水性を確保するために、シリコン系、ウレタン系、アクリル系、変成シリコン系等のコーキング剤・シーリング剤で目止めをすることが好ましい。
【００３６】
さらに、木製の居住部３の底部には、シャーシ２の前後方向に木枠をボルト／ナット等の固定手段で固定して設け、この木枠に略直行する方向に、複数枚の木板１０を、弾性接着剤１１および必要に応じてボルト／ナット等の固定手段を用いて固定して底板および／または床板を設けることができる。
【００３７】
さらに、木製の居住部３の天井部７の上部には、さらに防水性を高めるために、１枚の杉板等の木板を、弾性接着剤を用いて固定して、防水屋根を設けることができる。また、天井部７と同様に、前方壁部６、後方壁部８および側方壁部９においても、さらに防水性を高めるために、杉板等の木板を、弾性接着剤を用いて固定して、防水壁とすることができる。
【００３８】
さらに、中央骨格部４の環状木製支柱４−１間、および側方骨格部５の木製支柱５−１の間には、取り付け枠を設けて、ドア２０、側方窓２１、後方窓２２等の構成部材を設置することができる。
【００３９】
＜本件発明が奏する効果＞
このように、本件発明の木製トレーラーハウスの木製の居住部は、中央骨格部、側方骨格部が前後左右に撓むことができ、また、これらの骨格部に弾性接着剤を用いて接着された壁部の各木板もこれに追従できるので、木製の居住部全体に柔軟性を付与することができる。したがって、牽引・搬送して移動する際の振動・衝撃により木製の居住部が破損することを防止できる。さらに、木製の居住部の形状を、従来の角張ったものから、丸みを帯びたものとすることにより、風圧により木製の居住部が破損することも防止できる。
【００４０】
また、本件発明の木製トレーラーハウスの製造方法は、上記のような優れた効果を奏する木製トレーラーハウスを製造することができる。
【符号の説明】
【００４１】
１：        木製トレーラーハウス
２：        シャーシ
２−１：  車輪
２−２：  牽引部材
３：        木製の居住部
４：        中央骨格部
４−１、４−１ａ〜４−１ｈ：  （木製支柱を湾曲させて形成した）環状木製支柱
５：        側方骨格部
５−１：  側方骨格部の木製支柱
６：        前方壁部
７：        天井部
８：        後方壁部
９：        側方壁部
１０：      （前方壁部、天井部、後方壁部、または側方壁部を形成する）木板
１１：      弾性接着剤
２０：      ドア
２１：      側方窓
２２：      後方窓
２３：      （後方窓の）上下窓枠
２４：      （後方窓設置用の）切り欠き部
３０：      従来の木製トレーラーハウス
【図１】
2020050173.tif 000003
【図２】
2020050173.tif 000004
【図３】
2020050173.tif 000005
【図４】
2020050173.tif 000006
【図５】
2020050173.tif 000007
【図６】
2020050173.tif 000008
【図７】
2020050173.tif 000009
【図８】
2020050173.tif 000010
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
車輪、牽引部材等の牽引・搬送に必要な部材を設けたシャーシの上に、木製の居住部を設けた木製トレーラーハウスであって、
前記木製の居住部が、少なくとも、
複数本の、木製支柱を湾曲させて形成した環状木製支柱を、前後方向に配し、シャーシに直接的または間接的に固定して形成された中央骨格部、
前記中央骨格部の左右方向の両側に配された前記環状木製支柱を上下方向に連結する、複数本の木製支柱から形成された側方骨格部、
前記中央骨格部に略直交する方向に、複数枚の木板を、弾性接着剤によって固定して形成された前方壁部、天井部および後方壁部、ならびに
前記側方骨格部に略直交する方向に、複数枚の木板を、弾性接着剤によって固定して形成された側方壁部
を備えることを特徴とする、木製トレーラーハウス。
【請求項２】
前記環状木製支柱が、複数枚の木板を積層して形成されることを特徴とする、請求項１に記載の木製トレーラーハウス。
【請求項３】
前記中央骨格部が、複数本の前記環状木製支柱を、平行に配置して形成されることを特徴とする、請求項１または２に記載の木製トレーラーハウス。
【請求項４】
前記中央骨格部および前記側方骨格部に対する前記複数枚の木板の固定が、弾性接着剤およびボルト／ナット等の固定手段を用いて行われることを特徴とする、請求項１〜３のいずれかに記載の木製トレーラーハウス。
【請求項５】
請求項１〜４のいずれかに記載の木製トレーラーハウスの製造方法であって、少なくとも、
１）車輪、牽引部材等の牽引・搬送に必要な部材を設けたシャーシの上に、複数本の、木製支柱を湾曲させて形成した環状木製支柱を前後方向に配し、前記シャーシに直接的または間接的に固定して、中央骨格部を形成する工程、
２）複数本の木製支柱により、前記中央骨格部の左右方向の両側に配された前記環状木製支柱を上下方向に連結して、側方骨格部を形成する工程、
３）前記中央骨格部に略直交する方向に、複数枚の木板を、弾性接着剤によって固定して前方壁部、天井部および後方壁部を形成する工程、ならびに
４）前記側方骨格部に略直交する方向に、複数枚の木板を、弾性接着剤によって固定して側方壁部を形成する工程
を含むことを特徴とする、木製トレーラーハウスの製造方法。
【請求項６】
前記環状木製支柱を、複数枚の木板を積層して形成することを特徴とする、請求項５に記載の木製トレーラーハウスの製造方法。
【請求項７】
前記中央骨格部を、前記複数本の環状木製支柱を、平行に配置して形成することを特徴とする、請求項５または６に記載の木製トレーラーハウスの製造方法。
【請求項８】
前記中央骨格部および前記側方骨格部に対する前記複数枚の木板の固定を、弾性接着剤およびボルト／ナット等の固定手段を用いて行うことを特徴とする、請求項５〜７のいずれかに記載の木製トレーラーハウスの製造方法。
【手続補正２】
【補正対象書類名】明細書
【補正対象項目名】００１０
【補正方法】変更
【補正の内容】
【００１０】
前記課題を解決するため、発明者らは鋭意検討の結果、本件発明を成したものである。本件発明の要旨を以下に示す。
（１）車輪、牽引部材等の牽引・搬送に必要な部材を設けたシャーシの上に、木製の居住部を設けた木製トレーラーハウスであって、
前記木製の居住部が、少なくとも、
複数本の、木製支柱を湾曲させて形成した環状木製支柱を、前後方向に配し、シャーシに直接的または間接的に固定して形成された中央骨格部、
前記中央骨格部の左右方向の両側に配された前記環状木製支柱を上下方向に連結する、複数本の木製支柱から形成された側方骨格部、
前記中央骨格部に略直交する方向に、複数枚の木板を、弾性接着剤によって固定して形成された前方壁部、天井部および後方壁部、ならびに
前記側方骨格部に略直交する方向に、複数枚の木板を、弾性接着剤によって固定して形成された側方壁部
を備えることを特徴とする、木製トレーラーハウス。
（２）前記環状木製支柱が、複数枚の木板を積層して形成されることを特徴とする、（１）に記載の木製トレーラーハウス。
（３）前記中央骨格部が、複数本の前記環状木製支柱を、平行に配置して形成されることを特徴とする、（１）または（２）に記載の木製トレーラーハウス。
（４）前記中央骨格部および前記側方骨格部に対する前記複数枚の木板の固定が、弾性接着剤およびボルト／ナット等の固定手段を用いて行われることを特徴とする、（１）〜（３）のいずれかに記載の木製トレーラーハウス。
（５）（１）〜（４）のいずれかに記載の木製トレーラーハウスの製造方法であって、少なくとも、
１）車輪、牽引部材等の牽引・搬送に必要な部材を設けたシャーシの上に、複数本の、木製支柱を湾曲させて形成した環状木製支柱を前後方向に配し、前記シャーシに直接的または間接的に固定して、中央骨格部を形成する工程、
２）複数本の木製支柱により、前記中央骨格部の左右方向の両側に配された前記環状木製支柱を上下方向に連結して、側方骨格部を形成する工程、
３）前記中央骨格部に略直交する方向に、複数枚の木板を、弾性接着剤によって固定して前方壁部、天井部および後方壁部を形成する工程、ならびに
４）前記側方骨格部に略直交する方向に、複数枚の木板を、弾性接着剤によって固定して側方壁部を形成する工程
を含むことを特徴とする、木製トレーラーハウスの製造方法。
（６）前記環状木製支柱を、複数枚の木板を積層して形成することを特徴とする、（５）に記載の木製トレーラーハウスの製造方法。
（７）前記中央骨格部を、前記複数本の環状木製支柱を、平行に配置して形成することを特徴とする、（５）または（６）に記載の木製トレーラーハウスの製造方法。
（８）前記中央骨格部および前記側方骨格部に対する前記複数枚の木板の固定を、弾性接着剤およびボルト／ナット等の固定手段を用いて行うことを特徴とする、（５）〜（７）のいずれかに記載の木製トレーラーハウスの製造方法。
【手続補正３】
【補正対象書類名】明細書
【補正対象項目名】００１７
【補正方法】変更
【補正の内容】
【００１７】
本件発明の木製トレーラーハウスは、シャーシの上に設ける木製の居住部の構造に特徴を有するものであって、具体的には、
ａ）複数本の、木製支柱を湾曲させて形成した環状木製支柱を、前後方向に配し、シャーシに直接的または間接的に固定して形成された中央骨格部、
ｂ）前記中央骨格部の左右方向の両側に配された前記環状木製支柱を上下方向に連結する、複数本の木製支柱から形成された側方骨格部、
ｃ）前記中央骨格部に略直交する方向に、複数枚の木板を、弾性接着剤によって固定して形成された前方壁部、天井部および後方壁部、ならびに
ｄ）前記側方骨格部に略直交する方向に、複数枚の木板を、弾性接着剤によって固定して形成された側方壁部
を少なくとも備えることを主要な特徴とするものであり、
木製トレーラーハウスの木製の居住部全体に柔軟性を付与することにより、牽引・搬送して移動する際の振動・衝撃により木製の居住部が破損することを防止でき、さらに、木製の居住部の形状を丸みを帯びたものとすることにより、風圧により木製の居住部が破損することも防止できるという優れた作用効果を奏するものであって、災害発生時等の緊急時に、仮設住宅、簡易宿泊設備等の設備として、木製トレーラーハウスを高速道路を使って現地へ迅速に移動することができる。
【手続補正４】
【補正対象書類名】明細書
【補正対象項目名】００１９
【補正方法】変更
【補正の内容】
【００１９】
木製トレーラーハウス１には、車輪２−１、牽引部材２−２等の牽引・搬送に必要な部材を設けたシャーシ２の上に、木製の居住部３が設けられており、木製の居住部３は、
ａ）複数本の、木製支柱を湾曲させて形成した環状木製支柱４−１（４−１ａ〜４−１ｈ）を、前後方向に配し、シャーシ２に直接的または間接的に固定して形成された中央骨格部４、
ｂ）中央骨格部４の左右方向の両側に配された環状木製支柱４−１ａおよび４−１ｈを上下方向に連結する、複数本の木製支柱５−１から形成された側方骨格部５、
ｃ）中央骨格部４に略直交する方向に、複数枚の木板１０を、弾性接着剤１１によって固定して形成された前方壁部６、天井部７および後方壁部８、ならびに
ｄ）側方骨格部５に略直交する方向に、複数枚の木板１０を、弾性接着剤１１によって固定して形成された側方壁部９
を備えている。
【手続補正５】
【補正対象書類名】明細書
【補正対象項目名】００３２
【補正方法】変更
【補正の内容】
【００３２】
上で説明した本件発明の木製トレーラーハウス１の木製の居住部３は、次のような工程により製造することができる。
ａ）車輪２−１、牽引部材２−２等の牽引・搬送に必要な部材を設けたシャーシ２の上に、複数本の、木製支柱を湾曲させて形成した環状木製支柱４−１（４−１ａ〜４−１ｈ）を前後方向に配し、シャーシ２に直接的または間接的に固定して、中央骨格部４を形成する工程、
ｂ）複数本の木製支柱５−１により、中央骨格部４の左右方向の両側に配された環状木製支柱４−１ａおよび４−１ｈを上下方向に連結して、側方骨格部５を形成する工程、
ｃ）中央骨格部４に略直交する方向に、複数枚の木板１０を、弾性接着剤１１によって固定して前方壁部６、天井部７および後方壁部８を形成する工程、ならびに
ｄ）側方骨格部５に略直交する方向に、複数枚の木板１０を、弾性接着剤１１によって固定して側方壁部９を形成する工程
このような木製トレーラーハウス１の製造方法により、柔軟性を有し、丸みを帯びた形状を有しており、牽引・搬送時の破損を低減した木製トレーラーハウス１を製造することができる。
【手続補正６】
【補正対象書類名】明細書
【補正対象項目名】００３６
【補正方法】変更
【補正の内容】
【００３６】
さらに、木製の居住部３の底部には、シャーシ２の前後方向に木枠をボルト／ナット等の固定手段で固定して設け、この木枠に略直交する方向に、複数枚の木板１０を、弾性接着剤１１および必要に応じてボルト／ナット等の固定手段を用いて固定して底板および／または床板を設けることができる。